(57)【要約】【課題】  外部交流電源の供給が一旦停止された後に再開された場合に、自動的に、供給停止前の状態に復帰することが可能な電源装置を提供する。【解決手段】  電源装置１は、内部電源が供給された場合にフリップフロップ５０の状態を「１」にセットし、内部電源供給時に外部交流電源の供給が遮断された場合に異常終了情報を記憶部４０に保存する制御部６０と、フリップフロップ５０の状態が「０」のとき、制御部６０からオン信号が出力されているとき、又はモーメンタリスイッチ３０がオンされているときに制御部６０に内部電源を供給するＯＲゲート７０及び第１スイッチング素子８１とを備える。制御部６０は、外部交流電源の供給が開始され、第１スイッチング素子８１により内部電源が供給されたときに、異常終了情報が記憶されている場合にはＯＲゲート７０にオン信号を出力し、異常終了情報が記憶されていない場合にはオン信号の出力を行わない。【選択図】  図１
2013196239.tif 000002
【特許請求の範囲】
【請求項１】
交流の外部電源を変換して直流の内部電源を生成する変換手段と、
操作者の操作に応じて、前記変換手段により生成された内部電源の供給及び供給停止を行う操作信号を出力する自動復帰型のモーメンタリスイッチと、
第１の状態及び第２の状態を取ることができ、外部電源の供給が停止されているときには第１の状態にリセットされ、外部電源が供給されているときには、直近にセットされた状態を保持する状態保持手段と、
外部電源の供給が停止しているときにも格納された情報を記憶している、不揮発性の又は常時バックアップされている記憶手段と、
内部電源の供給停止中に前記モーメンタリスイッチがオンされたときには内部電源を供給するオン信号を出力し、内部電源の供給中に前記モーメンタリスイッチがオンされたときには前記オン信号の出力を停止し、内部電源が供給された場合には、前記状態保持手段の状態を第２の状態にセットし、内部電源の供給時に外部電源の供給が停止した場合には、異常終了したことを示す異常終了情報を前記記憶手段に格納する制御手段と、
外部電源が供給されている状態において、前記状態保持手段が第１の状態のとき、前記制御手段からオン信号が出力されているとき、又は、前記モーメンタリスイッチがオンされているときに前記制御手段に内部電源を供給し、前記状態保持手段が第２の状態にあり、前記制御手段からオン信号が出力されておらず、かつ、前記モーメンタリスイッチがオフされているときに前記制御手段に対する内部電源の供給を遮断する第１給電断続手段と、を備え、
前記制御手段は、外部電源の供給が開始され、前記状態保持手段の状態に応じて前記第１給電断続手段により内部電源が供給されたときに、前記記憶手段に前記異常終了情報が記憶されている場合には、前記第１給電断続手段にオン信号を出力し、前記記憶手段に前記異常終了情報が記憶されていない場合には、前記第１給電断続手段に対するオン信号の出力を行わないことを特徴とする電源装置。
【請求項２】
前記制御手段は、外部電源の供給停止によって内部電源の出力電圧が低下した際に発生する割り込み処理において、前記異常終了情報を前記記憶手段に格納することを特徴とする請求項１に記載の電源装置。
【請求項３】
前記状態保持手段は、フリップフロップであることを特徴とする請求項１又は２に記載の電源装置。
【請求項４】
請求項１〜３のいずれか１項に記載の電源装置を備えた電子機器であって、
前記制御手段によって出力されるオン信号に基づいて、前記電子機器に内部電源を供給する第２給電断続手段を備えることを特徴とする電子機器。
【請求項５】
前記電子機器は、ファクシミリ機能を備えていることを特徴とする請求項４に記載の電子機器。
【発明の詳細な説明】
【技術分野】
【０００１】
本発明は、電源スイッチに自動復帰型のモーメンタリスイッチを用いた電源装置、及び、該電源装置を備えた電子機器に関する。
【背景技術】
【０００２】
従来から、自動復帰型のモーメンタリスイッチを電源スイッチとして用いたファクシミリ装置等の電子機器が知られている。ここで、モーメンタリスイッチは、押下されているときだけオン状態となるスイッチであり、スイッチ自体の物理的状態によって回路の導通状態又は非導通状態が保持されるものではない。そのため、例えば、電子機器の稼働中に、停電又は電源コンセントからプラグが引き抜かれたような場合には、その後、停電が復旧又は電源コンセントにプラグが差し込まれ、電子機器に交流電源が再び供給されたとしても、モーメンタリスイッチが押下されるまで電子機器は動作停止状態となり、自動的に稼働状態に復帰することができない。よって、例えば、この電子機器がファクシミリ機能を有している場合には、ユーザが再びモーメンタリスイッチを押下しない限り、ＦＡＸ受信ができなくなるという問題があった。
【０００３】
このような問題を解決するために、特許文献１には、主電源スイッチの押下に従った状態、すなわち「電源の供給中」であるか、又は「電源供給停止中」の状態であるかを記憶しておくＥＥＰＲＯＭを有し、プリンタ外部からの商用交流電源が通電状態となったときに、ＥＥＰＲＯＭに記憶されている状態に応じて、プリントエンジン及びエンジン制御回路への電源供給及び供給停止の切り替えを行なう電源制御装置を備えたプリンタが開示されている。
【先行技術文献】
【特許文献】
【０００４】
【特許文献１】特開平１１−３０１０６４号公報
【発明の概要】
【発明が解決しようとする課題】
【０００５】
ところで、近年、電子機器に対する低消費電力化の要請から、一定時間以上継続して使用されないときに、例えば、上述したプリントエンジン、エンジン制御回路に加えて電源制御装置自体への通電も停止することが求められている。すなわち、電源制御装置自体も低消費電力状態を取り得ることが求められている。
【０００６】
しかしながら、特許文献１に記載の電源制御装置は、商用交流電源が通電状態にある間中、常時稼働され、電源制御装置自体が低消費電力状態を取り得る構成にはなっていない。そのため、電源装置自体が低消費電力状態を取り得る電源装置（電源装置自体に対する給電を部分的に停止し得る電源装置）において、商用の外部交流電源が供給されたときに、自動的に、供給停止前の状態に復帰することのできる技術が望まれていた。
【０００７】
本発明は、上記問題点を解消する為になされたものであり、自動復帰型のモーメンタリスイッチを用い、自ら低消費電力状態を取り得る電源装置において、外部交流電源の供給が一旦停止された後に再開された場合に、自動的に、供給停止前の状態に復帰することが可能な電源装置、及び、該電源装置を備えた電子機器を提供することを目的とする。
【課題を解決するための手段】
【０００８】
本発明に係る電源装置は、交流の外部電源を変換して直流の内部電源を生成する変換手段と、操作者の操作に応じて、変換手段により生成された内部電源の供給及び供給停止を行う操作信号を出力する自動復帰型のモーメンタリスイッチと、第１の状態及び第２の状態を取ることができ、外部電源の供給が停止されているときには第１の状態にリセットされ、外部電源が供給されているときには、直近にセットされた状態を保持する状態保持手段と、外部電源の供給が停止しているときにも格納された情報を記憶している、不揮発性の又は常時バックアップされている記憶手段と、内部電源の供給停止中にモーメンタリスイッチがオンされたときには内部電源を供給するオン信号を出力し、内部電源の供給中にモーメンタリスイッチがオンされたときにはオン信号の出力を停止し、内部電源が供給された場合には、状態保持手段の状態を第２の状態にセットし、内部電源の供給時に外部電源の供給が停止した場合には、異常終了したことを示す異常終了情報を記憶手段に格納する制御手段と、外部電源が供給されている状態において、状態保持手段が第１の状態のとき、制御手段からオン信号が出力されているとき、又は、モーメンタリスイッチがオンされているときに制御手段に内部電源を供給し、状態保持手段が第２の状態にあり、制御手段からオン信号が出力されておらず、かつ、モーメンタリスイッチがオフされているときに制御手段に対する内部電源の供給を遮断する第１給電断続手段とを備え、上記制御手段が、外部電源の供給が開始され、状態保持手段の状態に応じて第１給電断続手段により内部電源が供給されたときに、記憶手段に異常終了情報が記憶されている場合には、第１給電断続手段にオン信号を出力し、記憶手段に異常終了情報が記憶されていない場合には、第１給電断続手段に対するオン信号の出力を行わないことを特徴とする。
【０００９】
本発明に係る電源装置によれば、状態保持手段が、外部電源の供給が停止されているときには第１の状態を取り、外部電源から生成される内部電源が供給された場合に第２の状態を取り、外部電源が供給されている間、この状態（第２の状態）が保持される。ここで、外部電源の供給が開始された場合には、状態保持手段の状態が第１の状態にあるため、第１給電断続部により、制御手段に対して内部電源の供給が行なわれる。そして、記憶手段に異常終了情報が記憶されている場合には、制御手段から第１給電断続手段にオン信号が出力され、内部電源の継続的な（すなわちモーメンタリスイッチがオフされた後も）供給が許可される。一方、記憶手段に異常終了情報が記憶されていない場合には、第１給電断続手段に対するオン信号の出力が行われることなく、内部電源の供給が停止される。
【００１０】
また、上述したように、状態保持手段は、内部電源が供給された場合に第２の状態にセットされ、外部電源が供給されている間、この状態（第２の状態）が保持される。よって、モーメンタリスイッチによって内部電源がオン／オフされる。すなわち、モーメンタリスイッチがオンされた場合には、第１給電断続手段により制御手段に内部電源が供給され、起動された制御手段からオン信号が第１給電断続手段に出力されることにより、内部電源が継続して供給される。また、その後、モーメンタリスイッチがオフされた場合には、再びモーメンタリスイッチがオンされるまで、制御手段に対する内部電源の供給が停止される。以上の結果、自動復帰型のモーメンタリスイッチを用い、自ら低消費電力状態を取り得る電源装置において、外部交流電源の供給停止後に、再び供給が開始されたときに、自動的に、供給停止前の状態に復帰することが可能となる。
【００１１】
本発明に係る電源装置では、上記制御手段が、外部電源の供給停止によって内部電源の出力電圧が低下した際に発生する割り込み処理において、異常終了情報を記憶手段に格納することが好ましい。
【００１２】
このようにすれば、例えば、停電や電源プラグの引き抜き等により、内部電源供給中（すなわち稼働中）に外部電源の供給が停止された場合、割り込み処理が発生するため、該割り込み処理において、異常終了したことを示す異常終了情報を保存することが可能となる。
【００１３】
本発明に係る電源装置では、上記状態保持手段が、フリップフロップであることが好ましい。
【００１４】
このようにすれば、当該フリップフロップを用いて、第１の状態、及び第２の状態を保持することができる。
【００１５】
本発明に係る電子機器は、上記いずれかの電源装置を備えた電子機器であって、上記制御手段によって出力されるオン信号に基づいて、電子機器に内部電源を供給する第２給電断続手段を備えることを特徴とする。
【００１６】
本発明に係る電子機器によれば、外部電源の供給が一旦停止（例えば停電等）した後に復帰した場合に、自動的に、供給停止前（停電発生前等）の状態に復帰することが可能となる。
【００１７】
また、本発明に係る電子機器は、ファクシミリ機能を備えていることが好ましい。
【００１８】
本発明に係る電子機器によれば、上述したように、外部電源の供給が一旦停止した後に復帰した場合に、自動的に、供給停止前の状態に復帰することができる。そのため、外部電源復帰後にモーメンタリスイッチが押下されるまでＦＡＸ受信ができなくなることを防止することが可能となる。
【発明の効果】
【００１９】
本発明によれば、自動復帰型のモーメンタリスイッチを用い、自ら低消費電力状態を取り得る電源装置において、外部交流電源の供給が一旦停止された後に再開された場合に、自動的に、供給停止前の状態に復帰することが可能となる。
【図面の簡単な説明】
【００２０】
【図１】実施形態に係る電源装置、及び該電源装置が搭載されたファクシミリ装置の構成を示すブロック図である。
【図２】実施形態に係る電源装置、及び該電源装置が搭載されたファクシミリ装置の構成（外部交流電源投入時の状態）を示すブロック図である。
【図３】実施形態に係る電源装置、及び該電源装置が搭載されたファクシミリ装置の構成（初期化終了時の状態）を示すブロック図である。
【図４】実施形態に係る電源装置による電源制御処理の処理手順を示すフローチャートである。
【図５】図４のフローチャートにおいて、主として、機器設置から最初の外部交流電源投入までの処理手順を実線で示したフローチャートである。
【図６】図４のフローチャートにおいて、主として、外部交流電源投入後、モーメンタリスイッチにより内部電源がオンされ、その後オフされるまでの処理手順を実線で示したフローチャートである。
【図７】図４のフローチャートにおいて、主として、モーメンタリスイッチで内部電源がオフされた後、外部交流電源がオフされ、その後、外部交流電源がオンされたときの処理手順を実線で示したフローチャートである。
【図８】図４のフローチャートにおいて、主として、機器稼働状態で外部交流電源がオフされた後、外部交流電源がオンされたときの処理手順を実線で示したフローチャートである。
【発明を実施するための形態】
【００２１】
以下、図面を参照して本発明の好適な実施形態について詳細に説明する。なお、各図において、同一要素には同一符号を付して重複する説明を省略する。なお、ここでは、実施形態に係る電源装置１をファクシミリ装置（特許請求の範囲に記載の電子機器に相当）２に搭載した場合を例にして説明する。まず、図１を用いて、電源装置１、及び、該電源装置１から電源が供給されるファクシミリユニット１００を備えたファクシミリ装置２の構成について説明する。図１は、電源装置１、及び該電源装置１が搭載されたファクシミリ装置２の構成を示すブロック図である。
【００２２】
電源装置１は、電源スイッチとして自動復帰型のモーメンタリスイッチ３０を用い、自ら低消費電力状態を取り得る（すなわち、後述する制御部６０に対する給電を停止し得る）電源装置である。また、電源装置１は、例えば停電等により、商用の外部交流電源の供給が一旦停止した後に復帰した場合に、自動的に、ファクシミリ装置２（電源装置１及びファクシミリユニット１００）を供給停止前の状態に復帰することができる電源装置である。
【００２３】
電源装置１は、商用の外部交流（ＡＣ）電源を変換して直流（ＤＣ）の内部電源を生成するＡＣ−ＤＣコンバータ２０を備えている。ＡＣ−ＤＣコンバータ２０は、特許請求の範囲に記載の変換手段として機能する。ＡＣ−ＤＣコンバータ２０の外部交流電源の入力端子には、外部電源スイッチ１２を介して、電源プラグ１１が接続されている。外部電源スイッチ１２は、商用の外部交流電源の供給（オン）又は供給停止（オフ）を行うスイッチである。外部電源スイッチ１２には、ユーザがスイッチ操作を行って手を離した後でもオン／オフ状態を保持するロックスイッチが用いられる。なお、外部交流電源は、例えば、停電、電源プラグ１１が引き抜かれること、及び、外部電源スイッチ１２のオフ操作等により供給が遮断される。
【００２４】
ＡＣ／ＤＣコンバータ２０は、電源プラグ１１及び外部電源スイッチ１２を介して、外部交流電源から電力が供給されると、所定電圧（例えば３．３Ｖ及び２４Ｖ等）の直流電圧を生成して出力する。ＡＣ／ＤＣコンバータ２０は２つの内部電源出力端子を持ち、各出力端子には、第１内部電源ライン２１、及び第２内部電源ライン２２がそれぞれ接続されている。なお、第１内部電源ライン２１及び第２内部電源ライン２２それぞれの電圧は同一でもよいし、異なっていてもよい。
【００２５】
第１内部電源ライン２１には、モーメンタリスイッチ３０、記憶部４０、フリップフロップ５０、第１スイッチング素子８１、及び制御部６０が接続されている。第１内部電源ライン２１は、モーメンタリスイッチ３０、記憶部４０、フリップフロック５０に内部電源を供給するとともに、第１スイッチング素子８１を介して制御部６０に内部電源を供給するラインである。また、第２内部電源ライン２２には、第２スイッチング素子８２、及びファクシミリユニット１００が接続されている。第２内部電源ライン２２は、第２スイッチング素子８２を介してファクシミリユニット１００に内部電源を供給するラインである。続いて、第１内部電源ライン２１及び第２内部電源ライン２２それぞれに接続されている各構成要素について説明する。
【００２６】
モーメンタリスイッチ３０は、指等で押下されている間だけオン状態となり、指等が離されるとオフ状態に戻る自動復帰型のスイッチである。モーメンタリスイッチ３０は、ユーザの操作に応じて、ＡＣ−ＤＣコンバータ２０により生成された内部電源の供給（オン）及び供給停止（オフ）を行う操作信号（オン／オフ信号）を出力する。ユーザは、外部交流電源が供給されている状態で、モーメンタリスイッチ３０を押下することにより、ファクシミリ装置２（電源装置１及びファクシミリユニット１００）を稼働又は停止することができる。
【００２７】
フリップフロップ５０は、１ビットの情報を、「０」（特許請求の範囲に記載の第１の状態）又は「１」（特許請求の範囲に記載の第２の状態）として保持することができる論理回路である。フリップフロップ５０は、特許請求の範囲に記載の状態保持手段として機能する。フリップフロップ５０は、ＡＣ−ＤＣコンバータ２０に外部交流電源が供給されているとき、すなわち、第１内部電源ライン２１から内部電源が供給されているときには、直近にセットされた状態を保持する。一方、フリップフロップ５０は、ＡＣ−ＤＣコンバータ２０に対する外部交流電源の供給が停止されたとき、すなわち、第１内部電源ライン２１による内部電源の供給が停止されたときには、保持していた情報を失い、内部電源の供給が再開されたときにはリセットされた状態（「０」の状態）となる。なお、フリップフロップ５０としては、例えば、ＲＳ型、ＪＬ型、Ｄ型、又はＴ型のフリップフロップを用いることができる。
【００２８】
記憶部４０は、外部交流電源の供給が遮断され、内部電源の供給が停止されているときにも格納された情報（例えば、後述する異常終了情報等）を記憶可能なメモリである。すなわち、記憶部４０は、特許請求の範囲に記載の記憶手段として機能する。記憶部４０としては、例えば、不揮発性のフラッシュメモリ（ＣＦ）、ＥＥＰＲＯＭ、又はハードディスク（ＨＤ）等が好適に用いられる。なお、記憶部４０として、常時バックアップされている揮発性のＳＲＡＭ等を用いることもできる。
【００２９】
制御部６０は、演算を行うマイクロプロセッサ、該マイクロプロセッサに各処理を実行させるためのプログラム等を記憶するＲＯＭ、演算結果などの各種データを一時的に記憶するＲＡＭ等により構成されている。制御部６０は、ＲＯＭ等に記憶されているプログラムを実行することにより、電源装置１及び後述するファクシミリユニット１００を総合的に制御する。制御部６０は、特許請求の範囲に記載の制御手段として機能する。なお、マイクロプロセッサ、ＲＯＭ、ＲＡＭなどはそれぞれ独立したチップから構成されていてもよいし、これらが１つのチップに収められたマイクロコンピュータ（マイコン）により構成されていてもよい。
【００３０】
制御部６０は、内部電源の供給停止中にモーメンタリスイッチ３０がオンされたときには、内部電源を供給するオン信号を後述するＯＲゲート７０及び／又は第２スイッチング素子８２に出力する。また、制御部６０は、内部電源の供給中にモーメンタリスイッチ３０がオンされたときにはＯＲゲート７０及び／又は第２スイッチング素子８２に対するオン信号の出力を停止する。また、制御部６０は、内部電源が供給された場合に、フリップフロップ５０の状態を「１」にセットする。
【００３１】
さらに、制御部６０は、内部電源が供給されているときに、例えば停電、電源プラグ１１の引き抜き、又は外部電源スイッチ１２のオフ操作により外部交流電源の供給が停止した場合（すなわち異常終了時）に機器が異常終了したことを示す異常終了情報を記憶部４０に書込み保存する。より具体的には、制御部６０を構成するマイクロプロセッサは、外部交流電源の供給停止によって内部電源の出力電圧が低下した際に割り込み処理（ＮＭＩ：Ｎｏｎ  Ｍａｓｋａｂｌｅ  Ｉｎｔｅｒｒｕｐｔ）が発生するように設定されており、当該割り込み処理において、異常終了情報を記憶部４０に書込む。なお、記憶部４０に対する異常終了情報の書込みが終了するまでは、例えばコンデンサ等に蓄積されている電荷によって制御部６０及び記憶部４０が稼働される。
【００３２】
ここで、外部交流電源の供給が開始された場合には、フリップフロップ５０が「０」にリセットされているため、後述する第１スイッチング素子８１によって、制御部６０に内部電源が供給され、制御部６０が起動される。その後、制御部６０は、記憶部４０に異常終了情報が記憶されている場合には、ＯＲゲート７０及び第２スイッチング素子８２に対してオン信号を出力する。一方、制御部６０は、記憶部４０に異常終了情報が記憶されていない場合には、ＯＲゲート７０及び第２スイッチング素子８２に対するオン信号の出力を行わない。
【００３３】
ＯＲゲート７０には、フリップフロップ５０、制御部６０の第１の出力ポート、及びモーメンタリスイッチ３０が接続されている。ＯＲゲート７０は、３つの入力、すなわち、フリップフロップ７０からの入力（状態信号）、制御部６０からの入力（オン／オフ制御信号）、及び、モーメンタリスイッチ３０からの入力（オン／オフ信号）のうち、少なくとも１つの入力がハイレベルのとき（すなわち、フリップフロップ５０が「０」の状態にあるとき、制御部６０からオン信号が出力されているとき、又は、モーメンタリスイッチ３０がオンされているとき）に、ハイレベルを出力する論理回路である。なお、図１に示されているように、フリップフロップ５０からの信号は反転して入力されるため、ローレベル（「０」の状態）のときにＯＲゲート７０からハイレベルが出力される。一方、３つの入力すべてがローレベルのとき（すなわち、フリップフロップ５０が「１」の状態にあり、制御部６０からオン信号が出力されておらず、かつ、モーメンタリスイッチ３０がオフされているとき）に、ＯＲゲート７０は、ローレベルを出力する。ＯＲゲート７０の出力端子は、第１スイッチング素子８１の入力端子に接続されており、ＯＲゲート７０の出力は、第１スイッチング素子８１に入力される。
【００３４】
第１スイッチング素子８１は、ＯＲゲート７０からの出力に基づいて、制御部６０に対する内部電源の供給／供給停止の切替えを行う。より具体的には、ＯＲゲート７０の出力がハイレベルのときには、第１スイッチング素子８１がオンされ、制御部６０に対して内部電源が供給される。一方、ＯＲゲート７０の出力がローレベルのときには、第１スイッチング素子８１がオフされ、制御部６０に対する電源供給が停止される。すなわち制御部６０（電源装置１）が低消費電力状態になる。ＯＲゲート７０及び第１スイッチング素子８１は、特許請求の範囲に記載の第１給電断続手段として機能する。なお、第１スイッチング素子８１としては、例えばトランジスタ又はＭＯＳ  ＦＥＴ等が好適に用いられる。
【００３５】
第２スイッチング素子８２は、制御部６０の第２の出力ポートと接続されており、モーメンタリスイッチ３０のオン／オフ操作に応じた制御部６０からの出力に基づいて、ファクシミリユニット１００に対する内部電源の供給／供給停止の切替えを行う。より詳細には、制御部６０の出力がハイレベルのときには、第２スイッチング素子８２がオンされ、ファクシミリユニット１００に対して内部電源が供給される。一方、制御部６０の出力がローレベルのときには、第２スイッチング素子８２がオフされ、ファクシミリユニット１００に対する電源供給が停止される。第２スイッチング素子８２は、特許請求の範囲に記載の第２給電断続手段として機能する。なお、第２スイッチング素子８２にも、第１スイッチング素子８１と同様に、トランジスタ又はＭＯＳ  ＦＥＴ等が用いられる。
【００３６】
ファクシミリユニット１００は、画像データをファクシミリ送信するＦＡＸ送信機能、及び、受信した画像データを用紙に記録するＦＡＸ受信機能を備えている。そのため、ファクシミリユニット１００は、ディジタル信号とアナログ信号との間の変復調を行なうとともにディジタル命令信号（ＤＣＳ）等の各種機能情報の発生及び検出を行なうモデム（変復調器）を備えている。また、ファクシミリユニット１００は、モデムと公衆交換電話網（ＰＳＴＮ）との接続を制御するとともに、送信先のファクシミリ番号に対応した呼出信号の送出、並びにその着信を検出するＮＣＵ（Ｎｅｔｗｏｒｋ  Ｃｏｎｔｒｏｌ  Ｕｎｉｔ）等を備えている。また、ファクシミリユニット１００は、紙文書等の原稿を読み取り画像データを生成するスキャナ部、及び、スキャナ部で読み取られた画像データ及びＦＡＸ受信された画像データを用紙にプリントアウトするプリンタ部を備えている。
【００３７】
上述したように、ファクシミリユニット１００に対する電源供給は、制御部６０によって制御される。ここで、制御部６０は、例えば、所定時間継続して入力がない場合に、第２スイッチング素子８２をオフして、ファクシミリユニット１００の受信部以外への給電を停止し、ファクシミリユニット１００を低消費電力状態（省エネモード）に移行させる。さらに、制御部６０は、所定の条件が満足された場合に、第１スイッチング素子８１をオフして、自身への給電を停止し、電源装置１を低消費電力状態（省エネモード）に移行させる。
【００３８】
次に、図４〜８を併せて用いて、電源装置１による電源制御処理について説明する。ここで、図４は、電源装置１による電源制御処理の処理手順を示すフローチャートである。また、図５〜図８は、図４と同一のフローチャートであるが、主な説明箇所を実線で示し、それ以外の箇所を破線で示したものである。より具体的には、図５は、電源装置１による電源制御処理のうち、機器設置から最初の外部交流電源投入までの処理手順を実線で示したフローチャートである。図６は、電源装置１による電源制御処理のうち、外部交流電源投入後、モーメンタリスイッチ３０により内部電源がオンされ、その後オフされるまでの処理手順を実線で示したフローチャートである。図７は、電源装置１による電源制御処理のうち、モーメンタリスイッチ３０で内部電源がオフされた後、外部交流電源がオフされ、その後、外部交流電源がオンされたときの処理手順を実線で示したフローチャートである。また、図８は、電源装置１による電源制御処理のうち、機器稼働状態で外部交流電源がオフされた後、外部交流電源がオンされたときの処理手順を実線で示したフローチャートである。
【００３９】
まず、図５を参照しつつ、電源装置１による電源制御処理のうち、機器設置後の最初の外部交流電源投入までの処理手順について説明する。
【００４０】
出荷されたファクシミリ装置２が例えばオフィス等に設置され、電源プラグ１１が部屋のコンセントに差し込まれる。そして、ユーザによって外部電源スイッチ１２がオンされることにより、外部交流電源の供給が開始される。そこで、ステップＳ１００では、外部電源スイッチ１２がオンされ、外部交流電源の供給が開始されたか否かの判断が行われる。ここで、外部電源スイッチ１２がオフ状態で、まだ外部交流電源の供給か開始されていない場合には、外部交流電源の供給が開始されるまで、本ステップが繰り返して実行される。一方、外部電源スイッチ１２がオンされ、外部交流電源の供給が開始された場合には、ステップＳ１０２に処理が移行する。
【００４１】
外部電源スイッチ１２がオンされ、外部交流電源の供給が開始された場合、ＡＣ−ＤＣコンバータ２０によって内部電源が生成され、第１内部電源ライン２１及び第２内部電源ライン２２に内部電源が出力される。そこで、ステップＳ１０２では、フリップフロップ５０の状態が「１」であるか否かについての判断が行われる。ここで、フリップフロップ５０の状態が「１」の場合には、ステップＳ１０８に処理が移行する。一方、フリップフロップ５０の状態が「１」ではないとき、すなわち、「０」のときには、ステップＳ１０４に処理が移行する。なお、初めて外部交流電源が投入されたときには、フリップフロップ５０はリセットされている、すなわち「０」の状態であるので、ステップＳ１０４に処理が移行する。
【００４２】
ステップＳ１０４では、フリップフロップ５０の状態出力が反転されて入力されることにより、ＯＲゲート７０からオン信号が出力される。そして、ＯＲゲート７０からのオン信号によって第１スイッチング素子８１がオンされ、制御部６０に内部電源が供給されて、該制御部６０が起動される（図２参照）。
【００４３】
次に、ステップＳ１０６では、起動された制御部６０により、記憶部４０に異常終了情報が記憶されているか否かについての判断が行われる。ここで、記憶部４０に異常終了情報が記憶されている場合には、ステップＳ１１６に処理が移行する。一方、異常終了情報が記憶されていないときには、ステップＳ１２０に処理が移行する。なお、出荷時には、異常終了情報は記憶されていないため、ステップＳ１２０に処理が移行する。
【００４４】
ステップＳ１２０では、制御部６０により、フリップフロップ５０の状態が「１」にセットされる。また制御部６０により、異常終了情報がクリア（消去）される。その後、制御部６０からＯＲゲート７０に対してオフ信号（ローレベル）が出力され、第１スイッチング素子８１がオフされる。
【００４５】
そして、第１スイッチング素子８１がオフされることにより、制御部６０に供給されていた内部電源の供給が停止され、制御部６０がオフ状態（低消費電力状態）になる（ステップＳ１２２）。その後、ステップＳ１０２に処理が移行する。
【００４６】
ステップＳ１０２では、上述したように、フリップフロップ５０の状態が「１」であるか否かについての判断が行われる。ここで、フリップフロップ５０の状態が「１」の場合には、ステップＳ１０８に処理が移行する。一方、フリップフロップ５０の状態が「１」ではないとき、すなわち、「０」のときには、ステップＳ１０４に処理が移行する。なお、上述したステップＳ１２０においてフリップフロップ５０には「１」がセットされている（すなわち「１」の状態である）ので、今回は、ステップＳ１０８に処理が移行する。
【００４７】
ステップＳ１０８では、モーメンタリスイッチ３０が押下されたか（内部電源のオン操作がされたか）否かについての判断が行われる。ここで、モーメンタリスイッチ３０が押下された場合には、ステップＳ１１４に処理が移行する。一方、モーメンタリスイッチ３０が押下されていないときには、ステップＳ１１０に処理が移行する。
【００４８】
ステップＳ１１０では、例えば停電、電源プラグ１１の引き抜き、又は外部電源スイッチ１２のオフ操作により、外部交流電源の供給が停止（オフ）されたか否かについての判断が行われる。ここで、外部交流電源の供給が停止された場合には、ステップＳ１１２に処理が移行する。一方、外部交流電源の供給が停止されていないときには、上述したステップＳ１０８に処理が移行し、モーメンタリスイッチ３０が押下されるか、又は外部交流電源の供給が停止されるまで、ステップＳ１０８及びステップＳ１１０が繰り返して実行される。
【００４９】
以上のように、最初の電源投入時は、外部電源スイッチ１２のオン操作により、制御部６０が一度起動される。その後、記憶部４０に異常終了情報が無いと判断されると、フリップフロップ５０に「１」がセットされ、モーメンタリスイッチ３０のオン操作待ちの状態（図３参照）に移行する。
【００５０】
続いて、図６を参照しつつ、上述したステップＳ１０８において、モーメンタリスイッチ３０が押下された（オンされた）場合の処理について説明する。
【００５１】
上述したように、ステップＳ１０８では、モーメンタリスイッチ３０が押下されたか（オンされたか）否かについての判断が行われる。ここで、モーメンタリスイッチ３０が押下された場合には、ステップＳ１１４に処理が移行する。
【００５２】
ステップＳ１１４では、モーメンタリスイッチ３０の押下により、第１スイッチング素子８１がオンされて制御部６０が起動される。そして、起動された制御部６０からＯＲゲート７０及び第２スイッチング素子８２に対してオン信号が出力され、第１スイッチング素子８１に加えて、第２スイッチング素子８２がオンされる。その結果、ファクシミリユニット１００に対する内部電源の供給が開始されて、ファクシミリユニット１００が起動される。ファクシミリ装置は、初期化処理の後、動作状態に移行する。そして、ファクシミリ装置２が稼働状態（ステップＳ１１６）となる。
【００５３】
続いて、ステップＳ１１８では、モーメンタリスイッチ３０が押下されたか（内部電源のオフ操作がされたか）否かについての判断が行われる。ここで、モーメンタリスイッチ３０が押下された場合には、ステップＳ１２０に処理が移行する。一方、モーメンタリスイッチ３０が押下されていないときには、ステップＳ１２４に処理が移行する。
【００５４】
ステップＳ１２４では、外部交流電源の供給が停止（オフ）されたか否かについての判断が行われる。ここで、外部交流電源の供給が停止された場合には、ステップＳ１２６に処理が移行する。一方、外部交流電源の供給が停止されていないときには、上述したステップＳ１１６に処理が移行し、モーメンタリスイッチ３０が押下されるか、又は外部交流電源の供給が停止されるまで、ステップＳ１１６及びステップＳ１１８が繰り返して実行される（すなわちファクシミリ装置２の稼働状態が継続される）。
【００５５】
上述したステップＳ１１８でモーメンタリスイッチ３０が押下されたと判断された場合には、ステップＳ１２０において、ファクシミリユニット１００のシャットダウンシーケンス（例えば、データの保存や機械的な離間動作等）が実行される。シャットダウンシーケンスが終了すると、制御部６０から第２スイッチング素子８２にローレベル信号（オフ信号）が出力されて、第２スイッチング素子８２がオフされる。また、フリップフロップ５０の状態が「１」にセットされる。さらに、異常終了情報がクリア（消去）される。その後、ＯＲゲート７０にローレベル信号（オフ信号）が出力されて、第１スイッチング素子８１がオフされる。
【００５６】
そして、第１スイッチング素子８１、及び第２スイッチング素子８２がオフされることにより、制御部６０及びファクシミリユニット１００に供給されていた内部電源が停止され、ファクシミリ装置２がオフ状態となる（ステップＳ１２２）。その後、ステップＳ１０２に処理が移行する。
【００５７】
ステップＳ１０２では、上述したように、フリップフロップ５０の状態が「１」であるか否かについての判断が行われる。なお、今回は、上述したステップＳ１２０においてフリップフロップ５０には「１」がセットされている（すなわち「１」の状態である）ので、ステップＳ１０８に処理が移行する。
【００５８】
ステップＳ１０８では、モーメンタリスイッチ３０が押下されたか（内部電源のオン操作がされたか）否かについての判断が行われる。ここで、モーメンタリスイッチ３０が押下された場合には、ステップＳ１１４に処理が移行する。一方、モーメンタリスイッチ３０が押下されていないときには、ステップＳ１１０に処理が移行する。
【００５９】
ステップＳ１１０では、例えば停電、電源プラグ１１の引き抜き、又は外部電源スイッチ１２のオフ操作により、外部交流電源の供給が停止（オフ）されたか否かについての判断が行われる。ここで、外部交流電源の供給が停止された場合には、ステップＳ１１２に処理が移行する。一方、外部交流電源の供給が停止されていないときには、上述したステップＳ１０８に処理が移行し、モーメンタリスイッチ３０が押下されるか、又は外部交流電源の供給が停止されるまで、ステップＳ１０８及びステップＳ１１０が繰り返して実行される。
【００６０】
一方、ステップＳ１０８において、モーメンタリスイッチ３０が押下されたと判断された場合には、ステップＳ１１４に処理が移行する。なお、ステップＳ１１４以降の処理は上述した通りであるので、ここでは詳細な説明を省略する。
【００６１】
以上のように、モーメンタリスイッチ３０が押下されてファクシミリ装置２（ファクシミリユニット１００）が正常にオフされた場合、フリップフロップ５０は「１」の状態を保持するため、再度モーメンタリスイッチ３０が押下されることでファクシミリ装置２（ファクシミリユニット１００）が再び起動される。
【００６２】
続いて、図７を参照しつつ、上述したステップＳ１１０において、例えば停電、電源プラグ１１の引き抜き、又は外部電源スイッチ１２のオフ操作により、外部交流電源の供給が停止（オフ）された場合について説明する。
【００６３】
ステップＳ１１０で外部交流電源の供給が停止された場合には、ステップＳ１１２において、フリップフロップ５０の状態が「０」にリセットされる。その後、ステップＳ１００に処理が移行する。ステップＳ１００では、外部電源スイッチ１２がオンされ、外部交流電源の供給が開始されたか否かの判断が行われる。ここで、外部電源スイッチ１２がオフ状態で、まだ外部交流電源の供給か開始されていない場合には、外部交流電源の供給が開始されるまで、本ステップが繰り返して実行される。一方、外部電源スイッチ１２がオンされ、外部交流電源の供給が開始された場合には、ステップＳ１０２に処理が移行する。
【００６４】
外部電源スイッチ１２がオンされ、外部交流電源の供給が開始された場合、ＡＣ−ＤＣコンバータ２０によって内部電源が生成され、第１内部電源ライン２１及び第２内部電源ライン２２に対して内部電源が出力される。ステップＳ１０２では、フリップフロップ５０の状態が「１」であるか否かについての判断が行われる。なお、今回は、フリップフロップ５０はリセットされている、すなわち「０」の状態であるので、ステップＳ１０４に処理が移行する。
【００６５】
ステップＳ１０４では、フリップフロップ５０の状態出力が反転されて入力されることにより、ＯＲゲート７０からオン信号が出力される。そして、ＯＲゲート７０からのオン信号によって第１スイッチング素子８１がオンされ、制御部６０に内部電源が供給されて、該制御部６０が起動される。
【００６６】
次に、ステップＳ１０６では、起動された制御部６０により、記憶部４０に異常終了情報が記憶されているか否かについての判断が行われる。なお、今回は異常終了情報が記憶されていないため、ステップＳ１２０に処理が移行する。
【００６７】
ステップＳ１２０では、制御部６０により、フリップフロップ５０の状態が「１」にセットされる。また制御部６０により、異常終了情報がクリア（消去）される。その後、制御部６０からＯＲゲート７０に対してオフ信号（ローレベル）が出力され、第１スイッチング素子８１がオフされる。
【００６８】
そして、第１スイッチング素子８１がオフされることにより、制御部６０に供給されていた内部電源が停止される（ステップＳ１２２）。その後、ステップＳ１０２に処理が移行する。
【００６９】
ステップＳ１０２では、上述したように、フリップフロップ５０の状態が「１」であるか否かについての判断が行われる。なお、上述したステップＳ１２０においてフリップフロップ５０には「１」がセットされている（すなわち「１」の状態である）ので、今回は、ステップＳ１０８に処理が移行する。
【００７０】
ステップＳ１０８では、モーメンタリスイッチ３０が押下されたか（内部電源のオン操作がされたか）否かについての判断が行われる。ここで、モーメンタリスイッチ３０が押下された場合には、ステップＳ１１４に処理が移行する。一方、モーメンタリスイッチ３０が押下されていないときには、ステップＳ１１０に処理が移行する。なお、ステップＳ１１０以降の処理は上述した通りであるので、ここでは詳細な説明を省略する。
【００７１】
続いて、図８を参照しつつ、上述したステップＳ１２４において、例えば停電、電源プラグ１１の引き抜き、又は外部電源スイッチ１２のオフ操作により、外部交流電源の供給が停止（オフ）された場合、すなわち、内部電源供給中（機器稼働中）に外部交流電源の供給が遮断された場合について説明する。
【００７２】
上述したように、ステップＳ１２４では、外部交流電源の供給が停止（オフ）されたか否かについての判断が行われる。ここで、外部交流電源の供給が停止されていないときには、上述したステップＳ１１６に処理が移行し、モーメンタリスイッチ３０が押下されるか、又は外部交流電源の供給が停止されるまで、ステップＳ１１６及びステップＳ１１８が繰り返して実行される（すなわちファクシミリ装置２の稼働状態が継続される）。一方、外部交流電源の供給が停止された場合には、ステップＳ１２６に処理が移行する。
【００７３】
ステップＳ１２６では、割り込み処理（ＮＭＩ処理）が入り、記憶部４０に、異常終了されたこと（すなわち、内部電源供給中（稼働中）に外部交流電源の供給が遮断されたこと）を示す異常終了情報が格納される。
【００７４】
そして、ステップＳ１１２においてフリップフロップ５０の状態が「０」にリセットされた後、ステップＳ１００に処理が移行する。ステップＳ１００では、外部電源スイッチ１２がオンされ、外部交流電源の供給が開始されたか否かの判断が行われる。ここで、外部電源スイッチ１２がオフ状態で、まだ外部交流電源の供給か開始されていない場合には、外部交流電源の供給が開始されるまで、本ステップが繰り返して実行される。一方、外部電源スイッチ１２がオンされ、外部交流電源の供給が開始された場合には、ステップＳ１０２に処理が移行する。
【００７５】
ステップＳ１０２では、フリップフロップ５０の状態が「１」であるか否かについての判断が行われる。なお、今回は、フリップフロップ５０はリセットされている、すなわち「０」の状態であるので、ステップＳ１０４に処理が移行する。
【００７６】
ステップＳ１０４では、フリップフロップ５０の状態出力が反転されて入力されることにより、ＯＲゲート７０からオン信号が出力される。そして、ＯＲゲート７０からのオン信号によって第１スイッチング素子８１がオンされ、制御部６０に内部電源が供給されて、該制御部６０が起動される。
【００７７】
次に、ステップＳ１０６では、起動された制御部６０により、記憶部４０に異常終了情報が記憶されているか否かについての判断が行われる。なお、今回は、異常終了情報が記憶されているため、ステップＳ１１６に処理が移行する。
【００７８】
ステップＳ１１６では、第２スイッチング素子８２がオンされ、ファクシミリユニット１００に対して内部電源が供給される。そして、ファクシミリユニット１００が起動され、ファクシミリ装置２が稼働状態となる。
【００７９】
続いて、ステップＳ１１８では、モーメンタリスイッチ３０が押下されたか（内部電源のオフ操作がされたか）否かについての判断が行われる。ここで、モーメンタリスイッチ３０が押下された場合には、ステップＳ１２０に処理が移行する。一方、モーメンタリスイッチ３０が押下されていないときには、ステップＳ１２４に処理が移行する。なお、以降の処理は上述した通りであるので、ここでは詳細な説明を省略する。
【００８０】
以上のように、ファクシミリ装置２の稼働中に外部交流電源の供給が停止された場合には、ＮＭＩ処理で異常終了情報が保存される。そのため、その後、外部交流電源が復帰され、制御部６０が起動されると、この異常終了情報に基づいて、ファクシミリ装置２が外部交流電源の供給停止前（稼働中）の状態に復帰される。
【００８１】
以上、詳細に説明したように、本実施形態によれば、フリップフロップ５０が、外部電源の供給が停止されている状態では「０」の状態を取り、外部電源から生成される内部電源が制御部６０に供給された場合に「１」の状態を取る。そして、外部電源が供給されている間、この状態（「１」の状態）が保持される。ここで、外部電源の供給が開始された場合には、フリップフロップ５０の状態が「０」の状態にあるため、ＯＲゲート７０の出力がハイレベルになり、第１スイッチング素子８１がオンされ、制御部６０に対して内部電源の供給が行なわれる。そして、記憶部４０に異常終了情報が記憶されている場合には、制御部６０からＯＲゲート７０にオン信号が出力され、内部電源の継続的な（すなわちモーメンタリスイッチ３０がオフされた後も）供給が許可される。一方、記憶部４０に異常終了情報が記憶されていない場合には、ＯＲゲート７０に対するオン信号の出力が行われることなく、制御部６０に対する内部電源の供給が停止される。
【００８２】
また、上述したように、フリップフロップ５０は、内部電源が供給された場合に「１」の状態にセットされ、外部電源が供給されている間、この状態（「１」の状態）が保持される。すなわち、モーメンタリスイッチ３０がオンされた場合には、ＯＲゲート７０及び第１スイッチング素子８１により制御部６０に内部電源が供給され、起動された制御部６０からオン信号がＯＲゲート７０、及び第２スイッチング素子８２に出力されることにより、制御部６０及びファクシミリユニット１００に対して内部電源が継続して供給される。また、その後、モーメンタリスイッチ３０がオフされた場合には、再びモーメンタリスイッチ３０がオンされるまで、制御部６０及びファクシミリユニット１００に対する内部電源の供給が停止される。以上の結果、自動復帰型のモーメンタリスイッチ３０を用い、自ら低消費電力状態を取り得る電源装置１において、外部交流電源の供給が一旦停止後に再開された場合に、自動的に、供給停止前の状態に復帰することが可能となる。
【００８３】
また、本実施形態によれば、例えば、停電又は電源プラグ１３の引き抜き等により、内部電源供給中（機器稼働中）に外部電源の供給が遮断された場合、割り込み処理（ＮＭＩ）が発生するように設定されているため、該割り込み処理において、異常終了情報を記憶部４０に保存することができる。
【００８４】
本実施形態によれば、フリップフロップ５０を用いることにより、外部交流電源及び内部電源の供給状態に応じて、「０」の状態、及び「１」の状態を保持するとともに、これらの状態に応じて第１スイッチング素子８１をオン・オフ制御することができる。
【００８５】
本実施形態に係るファクシミリ装置２によれば、外部電源の供給が一旦停止した後に復帰した場合に、自動的に、供給停止前の状態に復帰することができる。そのため、外部電源復帰後にモーメンタリスイッチ３０を押下するまでＦＡＸ受信ができなくなることを防止することが可能となる。また、外部交流電源復帰後にファクシミリ装置２の電源が不必要に入りっぱなしとなることを防ぐことができるため、省エネルギー効果を高めることができる。
【００８６】
以上、本発明の実施の形態について説明したが、本発明は、上記実施形態に限定されるものではなく種々の変形が可能である。例えば、上記実施形態では、電源装置１をファクシミリ装置２に搭載した場合を例にして説明したが、電源装置１が搭載される電子機器はファクシミリ装置に限られることなく、例えばプリンタ又は複合機等の電子機器に電源装置１を搭載してもよい。
【００８７】
また、上記実施形態では、外部交流電源復帰時に異常終了情報の有無に基づいて異常終了したか否かが判断されたが、正常に終了した場合に、正常に終了したことを示す正常終了情報を記憶する構成としてもよい。
【００８８】
上記実施形態では、状態を保持するために、フリップフロップ５０を用いたが、フリップフロップに代えて、例えば、ラッチ、又はラッチングリレー等を用いてもよい。
【００８９】
また、ＯＲゲート７０により駆動されるスイッチング素子を記憶部４０の電源供給ラインに追加してもよい。このようにすれば、機器の消費電力をさらに下げることができる。さらに、外部電源スイッチ１２は必ずしも必要ではなく、例えば、電源プラグ１１の抜き差しにより、直接、外部交流電源を供給又は遮断する構成としてもよい。
【符号の説明】
【００９０】
１  電源装置
２  ファクシミリ装置
１１  電源プラグ
１２  外部電源スイッチ
２０  ＡＣ−ＤＣコンバータ
２１  第１内部電源ライン
２２  第２内部電源ライン
３０  モーメンタリスイッチ
４０  記憶部
５０  フリップフロップ
６０  制御部
７０  ＯＲゲート
８１  第１スイッチング素子
８２  第２スイッチング素子
１００  ファクシミリユニット
【図１】
2013196239.tif 000003
【図２】
2013196239.tif 000004
【図３】
2013196239.tif 000005
【図４】
2013196239.tif 000006
【図５】
2013196239.tif 000007
【図６】
2013196239.tif 000008
【図７】
2013196239.tif 000009
【図８】
2013196239.tif 000010